(57)【要約】      （修正有）【課題】簡易な構成で、カートリッジの情報を検知することができるカートリッジを提供すること。【解決手段】トナーを担持するように構成される現像ローラを備える現像カートリッジにおいて、電極部材８１から右側へ突出する受電部８６に、受電部８６を部分的に被覆する被検知端部８９を有する新品検知ギア８２を回転可能に支持し、新品検知ギア８２の回転により、受電部８６への給電を、被検知端部８９によって所定のタイミングで解除して、外部から受電部８６への給電、および、給電の解除に対応する、現像カートリッジの情報を検知する。【選択図】図６
2014063073.tif 000002
【特許請求の範囲】
【請求項１】
所定方向に延びる第１軸線を中心として回転するように構成され、現像剤を担持するように構成される現像ローラと、
導電性部材からなり、前記現像ローラと電気的に接続されるように構成される現像電極であって、本体部と、前記本体部から前記所定方向に突出する突出部とを有する現像電極と、
絶縁性部材からなり、前記突出部に回転可能に支持される被検知体であって、前記突出部を露出させる第１露出部と、前記突出部を被覆する第１被覆部とを有する被検知体と、
前記突出部の前記所定方向一方側端縁を露出させる開口を有し、前記被検知体を被覆するカバーと、
を備え、
前記突出部の前記所定方向一方側端縁は、前記直交方向に投影したときに、前記カバーの前記所定方向一方側端縁と重なるように配置される
ことを特徴とする、カートリッジ。
【請求項２】
前記カバーは、少なくとも一部の前記突出部を前記所定方向一方側から被覆する電極被覆部を有することを特徴とする、請求項１に記載のカートリッジ。
【請求項３】
前記突出部は、前記電極被覆部に覆われる第２被覆部と、前記電極被覆部から露出される第２露出部とを有し、
前記第２露出部は、前記第２被覆部よりも前記所定方向一方側へ突出している
ことを特徴とする、請求項２に記載のカートリッジ。
【請求項４】
前記第２露出部は、前記直交方向に投影したときに、前記電極被覆部と重なるように配置される
ことを特徴とする、請求項３に記載のカートリッジ。
【請求項５】
前記第２露出部は、前記電極被覆部に係合する
ことを特徴とする、請求項３または４に記載のカートリッジ。
【請求項６】
前記電極被覆部は、前記第２被覆部に嵌合する嵌合部を有する
ことを特徴とする、請求項３ないし５のいずれか一項に記載のカートリッジ。
【請求項７】
前記突出部は、筒形状に形成され、
前記嵌合部は、前記第２被覆部に内嵌される
ことを特徴とする、請求項６に記載のカートリッジ。
【請求項８】
現像剤を収容する現像剤収容部を有する筐体を備え、
前記筐体は、前記突出部内に嵌合されるように前記所定方向一方側へ突出する突起を備える
ことを特徴とする、請求項６または７に記載のカートリッジ。
【請求項９】
前記突出部は、外部から給電されるものであり、
前記被検知体は、前記第１露出部を介して前記突出部へ給電される第１位置から、前記第１被覆部により前記突出部への電力の入力が解除される第２位置を経て、前記第１露出部を介して前記突出部へ給電される第３位置へ移動可能である
ことを特徴とする、請求項１ないし８のいずれか一項に記載のカートリッジ。
【請求項１０】
前記第１被覆部は、前記被検知体の回転方向に延びる
ことを特徴とする、請求項１ないし９のいずれか一項に記載のカートリッジ。
【請求項１１】
前記第１被覆部の前記回転方向長さは、前記カートリッジに関する情報に対応している
ことを特徴とする、請求項１０に記載のカートリッジ。
【請求項１２】
前記第１被覆部は、前記突出部を前記直交方向から被覆する
ことを特徴とする、請求項１ないし１１のいずれか一項に記載のカートリッジ。
【請求項１３】
前記第１被覆部は、
その前記被検知体の回転方向上流側に設けられ、前記回転方向下流側へ向かうに従って前記直交方向一方側へ傾斜する第１傾斜面と、
前記第１傾斜面の前記回転方向下流側に連続して設けられ、前記回転方向下流側へ向かうに従って前記直交方向他方側へ傾斜する第２傾斜面と
を有する
ことを特徴とする、請求項１ないし１２のいずれか一項に記載のカートリッジ。
【請求項１４】
前記被検知体は、外部からの駆動力が伝達される歯部と、前記駆動力が伝達されない欠け歯部とを有する欠け歯ギアとを含む
ことを特徴とする、請求項１ないし１３のいずれか一項に記載のカートリッジ。
【請求項１５】
前記現像電極は、前記本体部から前記所定方向に突出し、前記現像ローラの前記所定方向一方側端部を回転可能に支持する軸受部を有する
ことを特徴とする、請求項１ないし１４のいずれか一項に記載のカートリッジ。
【請求項１６】
現像剤を収容するように構成された現像剤収容部を有し、前記現像剤収容部を挟んで所定方向に間隔を隔てて対向配置される第１側壁および第２側壁を含む筐体と、
外部からの駆動力を受けるためのカップリング部材であって、前記第１側壁に対して前記現像剤収容部の反対側に配置されるカップリング部材と、
前記所定方向に延びる第２軸線を回転中心として回転するように構成され、前記第１側壁と前記第２側壁との間に配置される回転部材と
を備え、
前記被検知体は、前記第２側壁に対して前記現像剤収容部の反対側に配置され、前記回転部材からの前記駆動力が伝達されることにより回転するように構成されている
ことを特徴とする、請求項１ないし１５のいずれか一項に記載のカートリッジ。
【請求項１７】
前記第２軸線を回転中心として前記回転部材とともに回転するように構成され、前記第１側壁に対して前記カップリング部材が配置された側に配置され、前記駆動力を前記カップリング部材から前記回転部材に伝達する第１駆動伝達部材と、
前記第２軸線を回転中心として前記回転部材とともに回転するように構成され、前記第２側壁に対して前記被検知体が配置された側に配置され、前記駆動力を前記回転部材から前記被検知体に伝達する第２駆動伝達部材と
を備える
ことを特徴とする、請求項１６に記載のカートリッジ。
【請求項１８】
前記第１駆動伝達部材は、前記カップリング部材から前記駆動力が入力される第１ギアであり、
前記第２駆動伝達部材は、前記被検知体に前記駆動力を入力する第２ギアであり、
前記第１ギアの歯数と、前記第２ギアの歯数とは、互いに異なっている
ことを特徴とする、請求項１７に記載のカートリッジ。
【請求項１９】
前記第１ギアの歯数は、前記第２ギアの歯数よりも多い
ことを特徴とする、請求項１８に記載のカートリッジ。
【請求項２０】
前記被検知体は、前記所定方向に投影したときにその少なくとも一部が前記カップリング部材に重なるように、配置されている
ことを特徴とする、請求項１６ないし１９のいずれか一項に記載のカートリッジ。
【請求項２１】
前記突出部は、前記所定方向に投影したときにその少なくとも一部が前記カップリング部材に重なるように、配置されている
ことを特徴とする、請求項１６ないし２０のいずれか一項に記載のカートリッジ。
【請求項２２】
前記回転部材は、前記現像剤収容部内の現像剤を攪拌するように構成された攪拌部材である
ことを特徴とする、請求項１６ないし２１のいずれか一項に記載のカートリッジ。
【発明の詳細な説明】
【技術分野】
【０００１】
本発明は、電子写真方式が採用される画像形成装置に装着されるカートリッジに関する。
【背景技術】
【０００２】
電子写真方式のプリンタとして、感光体と、感光体にトナーを供給する現像カートリッジとを備えるプリンタが知られている。
【０００３】
このようなプリンタでは、装着された現像カートリッジの情報（例えば、現像カートリッジが新品であるか否かなど）を判断するための新品検出手段を備えている。
【０００４】
例えば、現像カートリッジに回転可能に設けられる検出ギアに、本体ケーシング内のアクチュエータに当接される当接突起を設け、現像カートリッジが本体ケーシングに装着されたときに、検出ギアを回転駆動させて、当接突起によってアクチュータを揺動させるとともに、光センサによってアクチュエータの揺動を検出し、その検出結果に基づいて、現像カートリッジの情報を判断するレーザプリンタが提案されている（たとえば、下記特許文献１参照。）。
【先行技術文献】
【特許文献】
【０００５】
【特許文献１】特開２００６−２６７９９４号公報
【発明の概要】
【発明が解決しようとする課題】
【０００６】
しかるに、上記した特許文献１に記載のレーザプリンタでは、本体ケーシング内に、現像カートリッジの当接突起が当接されるアクチュエータと、そのアクチュエータの揺動を検出する光センサとが設けられている。
【０００７】
そのため、装着された現像カートリッジの情報を判断するための構成が複雑化している。
【０００８】
そこで、本発明の目的は、簡易な構成で、カートリッジの情報を検知することができるカートリッジを提供することにある。
【課題を解決するための手段】
【０００９】
（１）上記した目的を達成するために、本発明のカートリッジは、所定方向に延びる第１軸線を中心として回転するように構成され、現像剤を担持するように構成される現像ローラと、導電性部材からなり、現像ローラと電気的に接続されるように構成される現像電極と、絶縁性部材からなる被検知体と、被検知体を被覆するカバーとを備える。
【００１０】
現像電極は、本体部と、本体部から所定方向に突出する突出部とを有する。
【００１１】
被検知体は、突出部に回転可能に支持され、突出部を露出させる第１露出部と、突出部を被覆する第１被覆部とを有する。
【００１２】
カバーは、突出部の所定方向一方側端縁を露出させる開口を有する。
【００１３】
突出部の所定方向一方側端縁は、所定方向と直交する直交方向に投影したときに、カバーの所定方向一方側端縁と重なるように配置される。
【００１４】
このような構成によれば、現像電極から突出する突出部に、突出部を露出させる第１露出部と、突出部を被覆する第１被覆部とを有する被検知体が回転可能に支持されている。
【００１５】
そのため、外部から突出部へ第１露出部を介して給電することができながら、被検知体の回転により、外部から突出部への給電を、第１被覆部によって解除することができる。
【００１６】
その結果、外部から突出部への給電、および、給電の解除をカートリッジの情報に対応させれば、簡易な構成で、アクチュエータや光センサなどを設けることなく、カートリッジの情報を検知することができる。
（２）また、カバーは、少なくとも一部の突出部を所定方向一方側から被覆する電極被覆部を有してもよい。
【００１７】
このような構成によれば、電極被覆部によって、少なくとも一部の突出部を所定方向一方側から保護することができる。
（３）また、突出部は、電極被覆部に覆われる第２被覆部と、電極被覆部から露出される第２露出部とを有してもよい。この場合、第２露出部は、第２被覆部よりも所定方向一方側へ突出してもよい。
【００１８】
このような構成によれば、突出部を、その第２被覆部において保護しながら、突出部を、その第２露出部において、所定方向に長く露出させることができる。
【００１９】
そのため、外部から突出部に容易にアクセスすることができ、外部から突出部に、容易に給電することができる。
（４）また、第２露出部は、直交方向に投影したときに、電極被覆部と重なるように配置されてもよい。
【００２０】
このような構成によれば、直交方向に投影したときに電極被覆部と重なる位置において、外部から突出部の第２露出部に給電することができる。
【００２１】
そのため、外部から突出部の第２露出部に、より容易に給電することができる。
（５）また、第２露出部は、電極被覆部に係合してもよい。
【００２２】
このような構成によれば、外部から突出部に給電するときに、第２露出部を電極被覆部で支えながら、外部の構成に接触させることができる。
【００２３】
そのため、外部の構成と、突出部とを確実に接触させることができ、外部から突出部に、安定して給電することができる。
（６）また、電極被覆部は、第２被覆部に嵌合する嵌合部を有してもよい。
【００２４】
このような構成によれば、嵌合部により、第２被覆部を被検知体に対して位置決めすることができる。
【００２５】
また、外部から突出部に給電するときに、第２被覆部に対する嵌合部の嵌合により、突出部を、より安定に電極被覆部で支えることができる。
【００２６】
そのため、外部の構成と、突出部とをより確実に接触させることができ、外部から突出部に、より安定して給電することができる。
（７）また、突出部は、筒形状に形成されてもよい。この場合、嵌合部は、突出部の所定方向一方側端部内に嵌合されてもよい。
【００２７】
このような構成によれば、嵌合部により、突出部の所定方向一方側端部を補強することができる。
（８）また、本発明のカートリッジは、現像剤を収容する現像剤収容部を有する筐体を備えてもよい。この場合、筐体は、突出部内に嵌合されるように所定方向一方側へ突出する突起を備えてもよい。
【００２８】
このような構成によれば、突起により、突出部を補強することができる。
（９）また、突出部は、外部から給電されるものであってもよい。また、被検知体は、第１露出部を介して突出部へ給電される第１位置から、第１被覆部により突出部への電力の入力が解除される第２位置を経て、第１露出部を介して突出部へ給電される第３位置へ移動可能であってもよい。
【００２９】
このような構成によれば、突出部への電力の入力が解除される前後、すなわち、被検知部材が第１位置と第３位置とに配置されているときにおいて、突出部への給電を検知することができる。
【００３０】
そのため、突出部への電力の入力の解除を、確実に、外部の検知部材に認識させることができる。
（１０）また、第１被覆部は、被検知体の回転方向に延びてもよい。
【００３１】
このような構成によれば、被検知体の回転により、確実に、外部から突出部への給電、および、給電の解除を切り替えることができる。
（１１）また、第１被覆部の回転方向長さは、カートリッジに関する情報に対応していてもよい。
【００３２】
このような構成によれば、第１被覆部の回転方向長さに基づいて、カートリッジの情報を、簡易かつ確実に判断することができる。
（１２）また、第１被覆部は、突出部を直交方向から被覆してもよい。
【００３３】
このような構成によれば、第１被覆部によって、突出部を直交方向から保護することができる。
（１３）また、第１被覆部は、その被検知体の回転方向上流側に設けられ、回転方向下流側へ向かうに従って直交方向一方側へ傾斜する第１傾斜面と、第１傾斜面の回転方向下流側に連続して設けられ、回転方向下流側へ向かうに従って直交方向他方側へ傾斜する第２傾斜面とを有してもよい。
【００３４】
このような構成によれば、被検知体の回転途中に、被検知体の第１被覆部が、突出部に接触される外部の構成に当接されたとしても、外部の構成を、第１傾斜面に沿って第１被覆部に乗り上げるように退避させ、その後、第２傾斜面に沿って第１被覆部から降りるように、再び、突出部に接触させることができる。
【００３５】
その結果、被検知体の第１被覆部を、円滑に、突出部と外部の構成との間を通過させることができる。
（１４）また、被検知体は、外部からの駆動力が伝達される歯部と、駆動力が伝達されない欠け歯部とを有する欠け歯ギアとを含んでもよい。
【００３６】
このような構成によれば、被検知体を、回転駆動開始から回転駆動停止までの所定の駆動量で、確実に回転駆動させることができる。
（１５）また、現像電極は、本体部から所定方向に突出し、現像ローラの所定方向一方側端部を回転可能に支持する軸受部を有してもよい。
【００３７】
このような構成によれば、簡易な構成で確実に、軸受部から現像ローラに電力を供給することができる。
（１６）また、本発明のカートリッジは、現像剤を収容するように構成された現像剤収容部を有し、現像剤収容部を挟んで所定方向に間隔を隔てて対向配置される第１側壁および第２側壁を含む筐体と、外部からの駆動力を受けるためのカップリング部材であって、第１側壁に対して現像剤収容部の反対側に配置されるカップリング部材と、所定方向に延びる第２軸線を回転中心として回転するように構成され、第１側壁と第２側壁との間に配置される回転部材とを備えてもよい。
【００３８】
この場合、被検知体は、第２側壁に対して現像剤収容部の反対側に配置され、回転部材からの駆動力が伝達されることにより回転するように構成されてもよい。
【００３９】
このような構成によれば、カップリング部材と被検知体とを、第１側壁または第２側壁のいずれか一方に設ける構成と比べて、第１側壁および第２側壁の面積を低減することができ、その分、カートリッジを小型化することができる。
（１７）また、本発明のカートリッジは、第２軸線を回転中心として回転部材とともに回転するように構成され、第１側壁に対してカップリング部材が配置された側に配置され、駆動力をカップリング部材から回転部材に伝達する第１駆動伝達部材と、第２軸線を回転中心として回転部材とともに回転するように構成され、第２側壁に対して被検知体が配置された側に配置され、駆動力を回転部材から被検知体に伝達する第２駆動伝達部材とを備えてもよい。
【００４０】
このような構成によれば、簡易な構成で、回転部材を介して被検知体に駆動力を伝達することができる。
（１８）また、第１駆動伝達部材は、カップリング部材から駆動力が入力される第１ギアであってもよい。また、第２駆動伝達部材は、被検知体に駆動力を入力する第２ギアであってもよい。この場合、第１ギアの歯数と、第２ギアの歯数とは、互いに異なっていてもよい。
【００４１】
このような構成によれば、回転部材の回転速度に対して、被検知体の回転速度を任意に設定することができる。
（１９）また、第１ギアの歯数は、第２ギアの歯数よりも多くてもよい。
【００４２】
このような構成によれば、回転部材の回転速度に対して被検知体の回転速度を低減させることができる。
【００４３】
その結果、突出部への給電、および、給電の解除を検知するための時間を確保することができ、突出部への給電、および、給電の解除を正確に検知することができる。
（２０）また、被検知体は、所定方向に投影したときにその少なくとも一部がカップリング部材に重なるように、配置されていてもよい。
【００４４】
このような構成によれば、被検知部とカップリング部材とを、直交方向においてほぼ同じ位置に配置することができ、カートリッジをより小型化することができる。
（２１）また、突出部は、所定方向に投影したときにその少なくとも一部がカップリング部材に重なるように、配置されていてもよい。
【００４５】
このような構成によれば、突出部とカップリング部材とを、直交方向においてほぼ同じ位置に配置することができ、カートリッジをより一層小型化することができる。
（２２）また、回転部材は、現像剤収容部内の現像剤を攪拌するように構成された攪拌部材であってもよい。
【００４６】
このような構成によれば、攪拌部材を利用してカップリング部材から被検知体へ駆動力を伝達することができ、部品点数を低減することができる。
【発明の効果】
【００４７】
本発明のカートリッジによれば、簡易な構成で、カートリッジの情報を検知することができる。
【図面の簡単な説明】
【００４８】
【図１】図１は、本発明のカートリッジの第１実施形態としての現像カートリッジが装着されるプリンタの中央断面図である。
【図２】図２は、図１に示す現像カートリッジを示し、右前側から見た斜視図である。
【図３】図３は、図２に示す現像カートリッジの左端部の分解斜視図である。
【図４】図４は、図２に示す現像カートリッジの右端部の分解斜視図である。
【図５】図５は、図４に示す新品検知ギアを示し、（ａ）は、右側から見た斜視図であり、（ｂ）は、左側から見た斜視図である。
【図６】図６は、図２に示す現像カートリッジの右側面図を示す。なお、図６では、給電側カバーを省略している。
【図７】図７は、図２に示す現像カートリッジを示し、（ａ）は、右下側から見た斜視図であり、（ｂ）は、（ａ）のＡ−Ａ断面図である。
【図８】図８は、電極ユニットの右上側から見た斜視図である。
【図９】図９は、揺動電極の揺動を説明する説明図であって、現像カートリッジが本体ケーシングに装着されておらず、揺動電極が下側解除位置に配置されている状態を示す。
【図１０】図１０は、揺動電極の揺動を説明する説明図であって、現像カートリッジが本体ケーシングに装着されており、揺動電極が接続位置に配置されている状態を示す。
【図１１】図１１は、揺動電極の揺動を説明する説明図であって、現像カートリッジが本体ケーシングに装着されており、揺動電極が上側解除位置に配置されている状態を示す。
【図１２】図１２は、現像カートリッジの新品検知動作を説明する説明図であって、現像カートリッジが本体ケーシングに装着された直後であって、本体電極ユニットの揺動電極が、現像カートリッジの受電部に接触された状態を示す。
【図１３】図１３は、図１２に続いて現像カートリッジの新品検知動作を説明する説明図であって、ウォーミングアップ動作が開始されて、本体電極ユニットの揺動電極が、新品検知ギアの被検知端部によって押圧されて、現像カートリッジの受電部から離間された状態を示す。
【図１４】図１４は、図１３に続いて現像カートリッジの新品検知動作を説明する説明図であって、新品検知ギアの被検知端部が、本体電極ユニットの揺動電極と現像カートリッジの受電部との間を通過し、本体電極ユニットの揺動電極が、現像カートリッジの受電部に接触された状態を示す。
【図１５】図１５は、現像カートリッジの第２実施形態に備えられる新品検知ギアの右前側から見た斜視図である。
【図１６】図１６は、第３実施形態の現像カートリッジの給電ユニットを示す右上側から見た斜視図である。
【図１７】図１７は、第３実施形態の現像カートリッジの駆動伝達を説明する説明図である。
【図１８】図１８は、第４実施形態の現像カートリッジの給電ユニットを示す右上側から見た斜視図である。
【図１９】図１９は、第４実施形態の現像カートリッジの駆動伝達を説明する説明図である。
【図２０】図２０は、第５実施形態の現像カートリッジの給電ユニットを示す右上側から見た斜視図である。
【図２１】図２１は、第６実施形態の現像カートリッジを示す右上側から見た斜視図である。
【図２２】図２２は、図２１に示す給電ユニットを示す右上側から見た斜視図である。
【図２３】図２３は、第６実施形態の現像カートリッジの駆動伝達を説明する説明図である。
【発明を実施するための形態】
【００４９】
１．プリンタの全体構成
図１に示すように、プリンタ１は、横置きタイプのダイレクトタンデム型カラープリンタである。
【００５０】
なお、以下の説明において、プリンタ１の方向に言及するときには、プリンタ１を水平に載置した状態を上下の基準とする。すなわち、図１の紙面上側が上側（上下方向（第１方向）一方側）であり、紙面下側が下側（上下方向他方側）である。また、図１の紙面左側が前側（前後方向（第２方向）一方側）であり、図１の紙面右側が後側（前後方向一方側）である。また、プリンタ１を前側から見たときを左右の基準とする。すなわち、図１の紙面手前側が右側（左右方向（第３方向）一方側）であり、紙面奥側が左側（左右方向他方側）である。
【００５１】
プリンタ１は、略ボックス形状の本体ケーシング２を備えている。本体ケーシング２の上端部には、本体開口部３を開閉するトップカバー４が、その後端部を支点として揺動可能に設けられている。プリンタ１は、複数（４つ）のプロセスカートリッジ５を備えている。
【００５２】
すべてのプロセスカートリッジ５は、本体ケーシング２内に着脱可能に設けられ、互いに間隔を隔てて並列配置されている。また、複数（４つ）のプロセスカートリッジ５は、それぞれ、複数（４つ）の色（ブラック、イエロー、マゼンタ、シアン）のうちの１つに対応している。
【００５３】
プロセスカートリッジ５は、ドラムカートリッジ６と、ドラムカートリッジ６に着脱可能に装着されるカートリッジの一例としての現像カートリッジ７とを備えている。
【００５４】
ドラムカートリッジ６は、感光ドラム８とスコロトロン型帯電器９とを備えている。
【００５５】
感光ドラム８は、ドラムカートリッジ６の後端部に回転可能に設けられている。感光ドラム８は、左右方向（所定方向）に長手の略円筒形状に形成されている。
【００５６】
スコロトロン型帯電器９は、感光ドラム８の後上側に対向配置されている。
【００５７】
現像カートリッジ７は、現像ローラ１１と、現像ローラ１１にトナーを供給する供給ローラ１２とを備えている。
【００５８】
現像ローラ１１は、感光ドラム８に対して前上側から接触されるように、現像カートリッジ７の後端部において後側から露出されるように設けられている。現像ローラ１１は、左右方向に延びる略円柱形状に形成されている。現像ローラ１１は、その中心軸線Ａ１（第１軸線の一例）に沿って左右方向に延びる金属製の回転軸（以下、現像ローラ軸３０と記載する。）を備えている。現像ローラ軸３０の左右方向両端部のそれぞれは、カートリッジフレーム３１（後述）の両側壁３４（後述）のそれぞれに回転可能に支持されている。
【００５９】
供給ローラ１２は、現像ローラ１１に接触するように、現像ローラ１１の前上側に設けられている。供給ローラ１２は、左右方向に延びる略円柱形状に形成されている。供給ローラ１２は、その中心軸線に沿って左右方向に延びる金属製の回転軸（以下、供給ローラ軸２９と記載する。）を備えている。供給ローラ軸２９の左右方向両端部のそれぞれは、カートリッジフレーム３１（後述）の両側壁３４（後述）のそれぞれに回転可能に支持されている。
【００６０】
また、現像カートリッジ７は、現像ローラ１１に供給されたトナーの厚みを規制する層厚規制ブレード１３を備えている。また、現像カートリッジ７には、現像ローラ１１および供給ローラ１２の上側において、現像剤の一例としてのトナーを収容する現像剤収容部の一例としてのトナー収容部１４が設けられている。
【００６１】
トナー収容部１４内には、トナーを攪拌するための攪拌部材の一例としてのアジテータ１５が設けられている。
【００６２】
アジテータ１５は、左右方向に延びるアジテータ軸１６と、アジテータ軸１６からトナー収容部１４の内周面に向かって延びる攪拌羽根１７とを備え、アジテータ軸１６の中心軸線Ａ２（第２軸線の一例、図３参照）を回転中心として回転される。すなわち、アジテータ１５は、回転部材の一例である。
【００６３】
そして、トナー収容部１４内のトナーは、供給ローラ１２と現像ローラ１１との間で正極性に摩擦帯電され、層厚規制ブレード１３により、一定厚さの薄層として現像ローラ１１の表面に担持される。
【００６４】
一方、感光ドラム８の表面は、スコロトロン型帯電器９によって一様に帯電された後、感光ドラム８の上側に対向配置されるＬＥＤユニット１０によって所定の画像データに基づいて露光される。これにより、感光ドラム８の表面には、画像データに基づく静電潜像が形成される。そして、現像ローラ１１に担持されるトナーが感光ドラム８の表面上の静電潜像に供給されることにより、感光ドラム８の表面上にトナー像（現像剤像）が担持される。
【００６５】
用紙Ｐは、本体ケーシング２の底部に設けられる給紙トレイ１８内に収容されており、各種ローラによって、後上側へＵターンするように搬送されて、所定のタイミングで１枚ずつ、感光ドラム８と搬送ベルト１９との間に給紙される。そして、搬送ベルト１９によって、すべての感光ドラム８とすべての転写ローラ２０との間を前側から後側に向かって搬送される。このとき、用紙Ｐにトナー像が転写される。
【００６６】
そして、用紙Ｐは、加熱ローラ２１と加圧ローラ２２との間を通過するときに加熱および加圧される。このとき、用紙Ｐには、トナー像が熱定着される。
【００６７】
その後、用紙Ｐは、前上側へＵターンするように搬送されて、トップカバー４に設けられる排紙トレイ２３に排紙される。
２．現像カートリッジの構成
現像カートリッジ７は、図２に示すように、筐体の一例としてのカートリッジフレーム３１と、カートリッジフレーム３１の左側に配置される駆動ユニット３２と、カートリッジフレーム３１の右側に配置される給電ユニット３３とを備えている。
【００６８】
なお、現像カートリッジ７の説明において、方向について言及するときには、現像ローラ１１が配置されている側を現像カートリッジ７の後側とし、層厚規制ブレード１３が配置されている側を上側とする。すなわち、現像カートリッジ７に関する上下前後方向は、プリンタ１に関する上下前後方向と相異なり、現像カートリッジ７は、その前側がプリンタ１の前上側（前上側と後下側とを結ぶ方向（第４方向）における一方側）、その後側がプリンタ１の後下側（前上側と後下側とを結ぶ方向における他方側）、その上側がプリンタ１の後上側（後上側と前下側とを結ぶ方向（第５方向）における一方側）、その下側がプリンタ１の前下側（後上側と前下側とを結ぶ方向における他方側）となるように、プリンタ１に装着されている。
（１）カートリッジフレーム
カートリッジフレーム３１は、左右方向に延びる略ボックス形状に形成されている。カートリッジフレーム３１は、図３および図４に示すように、左右１対の側壁３４と、前壁３５と、下壁３６と、上壁３７とを一体的に備えている。なお、以下の説明において、第１側壁の一例としての左側の側壁３４を左壁３４Ｌとし、第２側壁の一例としての右側の側壁３４を右壁３４Ｒとする。
【００６９】
１対の側壁３４は、上下前後に延びる側面視略矩形状に形成され、互いに左右方向に間隔を隔てて対向配置されている。また、側壁３４には、現像ローラ軸露出穴３９と、供給ローラ軸露出穴３８と、アジテータ軸支持部４０とが形成されている。
【００７０】
現像ローラ軸露出穴３９は、側壁３４の上側後端部において、後上側に開放される側面視略Ｕ字形状に貫通形成されている。現像ローラ軸露出穴３９の上下方向長さは、現像ローラ軸３０の左右方向端部の直径よりも広く形成されている。そして、現像ローラ軸３０の左右方向端部は、現像ローラ軸露出穴３９を介して、側壁３４から左右方向外側へ露出されている。
【００７１】
供給ローラ軸露出穴３８は、現像ローラ軸露出穴３９の前下側において、側面視略矩形状に貫通形成されている。供給ローラ軸露出穴３８の各辺の長さは、供給ローラ軸２９の左右方向端部の直径よりも長く形成されている。そして、供給ローラ軸２９の左右方向端部は、供給ローラ軸露出穴３８を介して、側壁３４から左右方向外側へ露出されている。
【００７２】
アジテータ軸支持部４０は、供給ローラ軸露出穴３８の前上側において、側壁３４を貫通するように左右方向に延びる略円筒形状に形成されている。アジテータ軸支持部４０の内径は、アジテータ軸１６の左右方向端部の直径よりも大径に形成されている。そして、アジテータ軸１６の左右方向端部は、アジテータ軸支持部４０を介して、側壁３４から左右方向外側へ露出されている。アジテータ軸支持部４０内には、シール部材４１（図４参照）が嵌合されている。
【００７３】
シール部材４１は、スポンジなどの弾性を有する材料から、左右方向に延びる略円柱形状に形成されている。シール部材４１の外径は、アジテータ軸支持部４０の内径よりも大径である。また、シール部材４１の径方向中央には、アジテータ軸挿通穴４２が貫通形成されている。
【００７４】
アジテータ軸挿通穴４２は、アジテータ軸１６の外径よりも小径な側面視略円形状に形成されている。
【００７５】
そして、シール部材４１は、アジテータ軸１６の左端部に外嵌されるとともに、アジテータ軸支持部４０内に圧入されている。
【００７６】
また、図６に示すように、右壁３４Ｒには、突起の一例としての嵌合突起４３が設けられている。
【００７７】
嵌合突起４３は、右側のアジテータ軸支持部４０の後側において、右壁３４Ｒの右面から右側へ突出する略円柱形状に形成されている。
【００７８】
前壁３５は、両側壁３４の前端部間に架設されている。前壁３５は、上下左右に延びる略平板形状に形成されている。
【００７９】
下壁３６は、前壁３５の下端部に連続するように、両側壁３４の下端部間に架設されている。下壁３６は、前後左右に延びる略平板形状に形成されている。
【００８０】
上壁３７は、両側壁３４および前壁３５の上側に対向配置されている。上壁３７は、前後左右に延びる略平板形状に形成されている。上壁３７は、その周端縁において、両側壁３４および前壁３５の上端部に溶着されている。
（２）駆動ユニット
駆動ユニット３２は、図３に示すように、軸受部材５１と、ギア列５２と、駆動側カバー５３とを備えている。
（２−１）軸受部材
軸受部材５１は、側面視略矩形の平板形状に形成されている。軸受部材５１は、現像ローラ軸支持穴５４、供給ローラ軸支持穴５５、カップリング支持軸５６およびアイドルギア支持軸５７を有している。
【００８１】
現像ローラ軸支持穴５４は、軸受部材５１の上側後端部において、側面視略円形状に貫通形成されている。現像ローラ軸支持穴５４の内径は、現像ローラ軸３０の外径と略同径（わずかに大径）に形成されている。
【００８２】
供給ローラ軸支持穴５５は、現像ローラ軸支持穴５４の前下側において、側面視略円形状に貫通形成されている。供給ローラ軸支持穴５５の内径は、供給ローラ軸２９の外径と略同径（わずかに大径）に形成されている。
【００８３】
カップリング支持軸５６は、現像ローラ軸支持穴５４の前側、かつ、供給ローラ軸支持穴５５の前上側において、軸受部材５１の左面から左側へ突出する略円柱形状に形成されている。
【００８４】
アイドルギア支持軸５７は、軸受部材５１の前端部において、軸受部材５１の左面から左側へ突出する略円柱形状に形成されている。
（２−２）ギア列
ギア列５２は、カップリング部材の一例としての現像カップリング６１、現像ギア６２、供給ギア６３、アイドルギア６４、第１駆動伝達部材（第１ギア）の一例としての第１アジテータギア６５、および、第２駆動伝達部材（第２ギア）の一例としての第２アジテータギア６６（図４参照）を含んでいる。
【００８５】
現像カップリング６１は、左右方向に延びる略円柱形状に形成されている。なお、現像カップリング６１の径方向中央には、カップリング支持軸５６の外径よりも大径（ほぼ同径）な嵌合穴（図示せず）が形成されている。現像カップリング６１は、大径ギア部６７と、小径ギア部６８と、カップリング部６９とを一体的に有している。
【００８６】
大径ギア部６７は、現像カップリング６１の右端部に設けられている。大径ギア部６７は、左右方向に厚みを有する略円板形状に形成されている。大径ギア部６７の周面には、その全周にわたって、ギア歯が形成されている。
【００８７】
小径ギア部６８は、大径ギア部６７の左面から左側へ突出する略円柱形状に形成されている。小径ギア部６８の外径は、大径ギア部６７の外径よりも小径である。小径ギア部６８の中心軸線は、大径ギア部６７の中心軸線と一致している。小径ギア部６８の周面には、その全周にわたって、ギア歯が形成されている。
【００８８】
カップリング部６９は、小径ギア部６８の左面から左側へ突出する略円柱形状に形成されている。カップリング部６９の外径は、小径ギア部６８の外径よりも小径である。カップリング部６９の中心軸線は、小径ギア部６８の中心軸線と一致している。カップリング部６９の左面には、結合凹部７０が形成されている。
【００８９】
結合凹部７０は、カップリング部６９の左面から右側へ凹むように、現像カップリング６１の径方向に延びる側面視略長穴形状に形成されている。
【００９０】
現像ギア６２は、左右方向に厚みを有する略円板形状に形成されている。現像ギア６２の径方向中央には、現像ローラ軸３０の左端部を受け入れ可能な現像ローラ軸嵌合穴７３が形成されている。現像ギア６２の周面には、その全周にわたってギア歯が形成されている。
【００９１】
供給ギア６３は、左右方向に厚みを有する略円板形状に形成されている。供給ギア６３の径方向中央には、供給ローラ軸２９の左端部を受け入れ可能な供給ローラ軸嵌合穴７４が形成されている。供給ギア６３の周面には、その全周にわたってギア歯が形成されている。
【００９２】
アイドルギア６４は、左右方向に延びる略円柱形状に形成されている。アイドルギア６４は、大径部７１と、小径部７２とを一体的に有している。
【００９３】
大径部７１は、アイドルギア６４の左端部に設けられ、左右方向に厚みを有する略円板形状に形成されている。大径部７１の外径は、カップリング部６９の小径ギア部６８の外径よりも小径である。大径部７１の周面には、その全周にわたって、ギア歯が形成されている。
【００９４】
小径部７２は、大径部７１の右面から右側へ突出するように、左右方向に延びる略円筒形状に形成されている。小径部７２の外径は、大径部７１の外径よりも小径である。小径部７２は、大径部７１と中心軸線を共有している。小径部７２の径方向中央には、アイドルギア支持軸５７を受け入れ可能な嵌合穴（図示せず）が貫通形成されている。小径部７２の周面には、その全周にわたって、ギア歯が形成されている。
【００９５】
第１アジテータギア６５は、左右方向に延びる略円柱形状に形成されている。第１アジテータギア６５は、ギア部７５と、嵌合筒部７６とを備えている。
【００９６】
ギア部７５は、第１アジテータギア６５の左端部において、左右方向に厚みを有する略円板形状に形成されている。ギア部７５の周面には、その全周にわたって、ギア歯が形成されている。ギア部７５の径方向中央には、アジテータ軸１６の左端部を受け入れ可能なアジテータ軸嵌合穴７７が貫通形成されている。
【００９７】
嵌合筒部７６は、ギア部７５の右面から右側へ突出するように、左右方向に延びる略円筒形状に形成されている。嵌合筒部７６は、ギア部７５と中心軸線を共有している。嵌合筒部７６の内径は、アジテータ軸支持部４０の外径と略同径（わずかに大径）である。
【００９８】
第２アジテータギア６６は、図４に示すように、左右方向に延びる略円柱形状に形成されている。第２アジテータギア６６は、ギア部７８と、嵌合筒部７９と、カラー部８０とを備えている。
【００９９】
ギア部７８は、第２アジテータギア６６の左右方向略中央において、左右方向に厚みを有する略円板形状に形成されている。ギア部７８の周面には、その全周にわたって、第１アジテータギア６５のギア部７５よりも少ないギア歯が形成されている。ギア部７８の径方向中央には、アジテータ軸１６の右端部を受け入れ可能な嵌合穴（図示せず）が貫通形成されている。
【０１００】
嵌合筒部７９は、ギア部７８の左面から左側へ突出するように、左右方向に延びる略円筒形状に形成されている。嵌合筒部７９は、ギア部７８と中心軸線を共有している。嵌合筒部７９の外径は、アジテータ軸支持部４０の内径と略同径（わずかに小径）である。
【０１０１】
カラー部８０は、ギア部７８の右面から右側へ突出するように、左右方向に延び、右端部が閉鎖された略円筒形状に形成されている。
（２−３）駆動側カバー
駆動側カバー５３は、図３に示すように、左右方向に延び、左端部が閉鎖された略筒形状に形成されている。駆動側カバー５３は、現像カップリング６１、供給ギア６３、アイドルギア６４、第１アジテータギア６５を一括して被覆可能なサイズ（前後方向長さおよび上下方向長さ）に形成されている。また、駆動側カバー５３には、カップリング露出開口６０が形成されている。
【０１０２】
カップリング露出開口６０は、駆動側カバー５３の前後方向略中央の左壁において、現像カップリング６１のカップリング部６９の左面を露出させるように、側面視略円形状に貫通形成されている。
（２−４）駆動ユニットの組み付け状態
軸受部材５１は、現像ローラ軸支持穴５４に、現像ローラ軸３０の左端部が回転可能に挿通されるとともに、供給ローラ軸支持穴５５に、供給ローラ軸２９の左端部が回転可能に挿通されるように、左壁３４Ｌの左側に組み付けられる。
【０１０３】
これにより、現像ローラ軸３０の左端部は、現像ローラ軸支持穴５４内に回転可能に支持される。また、供給ローラ軸２９の左端部は、供給ローラ軸支持穴５５内に回転可能に支持される。
【０１０４】
現像カップリング６１は、軸受部材５１のカップリング支持軸５６に相対回転可能に支持される。
【０１０５】
現像ギア６２は、現像ローラ軸嵌合穴７３内に現像ローラ軸３０が挿通されるように、現像ローラ軸３０の左端部に相対回転不能に支持される。現像ギア６２は、現像カップリング６１の大径ギア部６７に後側から噛合される。
【０１０６】
供給ギア６３は、供給ローラ軸嵌合穴７４内に供給ローラ軸２９が挿通されるように、供給ローラ軸２９の左端部に相対回転不能に支持される。供給ギア６３は、現像カップリング６１の小径ギア部６８に後下側から噛合される。
【０１０７】
アイドルギア６４は、軸受部材５１のアイドルギア支持軸５７に相対回転可能に支持される。アイドルギア６４の大径部７１は、現像カップリング６１の小径ギア部６８に前下側から噛合される。また、アイドルギア６４の小径部７２は、現像カップリング６１の大径ギア部６７の前下側に間隔を隔てて対向される。
【０１０８】
第１アジテータギア６５は、その嵌合筒部７６がアジテータ軸支持部４０に回転可能に外嵌されるとともに、アジテータ軸１６の左端部に相対回転不能に取り付けられる。すなわち、第１アジテータギア６５は、アジテータ軸１６の中心軸線Ａ１を回転中心として回転可能である。第１アジテータギア６５のギア部７５は、アイドルギア６４の小径部７２に前側から噛合される。
【０１０９】
そして、駆動側カバー５３は、カップリング露出開口６０を介して現像カップリング６１のカップリング部６９の左面を露出させるとともに、現像カップリング６１（カップリング部６９の左面を除く）、供給ギア６３、アイドルギア６４、第１アジテータギア６５を一括して被覆するように左壁３４Ｌにねじ止めされる。
【０１１０】
また、図４に示すように、第２アジテータギア６６は、その嵌合筒部７６がアジテータ軸支持部４０に回転可能に内嵌されるとともに、アジテータ軸１６の右端部に相対回転不能に取り付けられる。すなわち、第２アジテータギア６６は、アジテータ軸１６の中心軸線Ａ１を回転中心として回転可能である。
（３）給電ユニット
給電ユニット３３は、図４および図６に示すように、現像電極の一例としての電極部材８１、被検知体の一例としての新品検知ギア８２、および、カバーの一例としての給電側カバー８３とを備えている。
（３−１）電極部材
電極部材８１は、導電性の樹脂材料（例えば、導電性ポリアセタール樹脂）などから形成されている。電極部材８１は、本体部９４と、軸受部の一例としての現像ローラ軸支持部８４と、供給ローラ軸支持部８５（図６参照）と、突出部の一例としての受電部８６とを備えている。
【０１１１】
本体部９４は、側面視略矩形の平板形状に形成されている。
【０１１２】
現像ローラ軸支持部８４は、本体部９４の上側後端部において、本体部９４を貫通するように、左右方向に延びる略円筒形状に形成されている。現像ローラ軸支持部８４の内径は、現像ローラ軸３０の右端部の外径と略同径（わずかに大径）に形成されている。
【０１１３】
供給ローラ軸支持部８５は、現像ローラ軸支持部８４の前下側において、本体部９４を貫通する側面視略円形状に形成されている。供給ローラ軸支持部８５の内径は、供給ローラ軸２９の外径と略同径（わずかに大径）に形成されている。
【０１１４】
受電部８６は、供給ローラ軸支持部８５の前上側に配置されている。受電部８６は、受電部本体８６Ａと、第２露出部の一例としての延出部８６Ｂと、リブ８６Ｃとを備えている。
【０１１５】
受電部本体８６Ａは、本体部９４を貫通するように、本体部９４の前端部から右側へ延びる略円筒形状に形成されている。
【０１１６】
延出部８６Ｂは、受電部本体８６Ａの上端部の右端縁から右側へ向かって突出し、受電部本体８６Ａの周方向に沿って前後方向に延びる側面視略円弧形状の突条として形成されている。延出部８６Ｂの前端部は、下側に向かうに従って左側へ傾斜するように面取りされている。延出部８６Ｂの後端部は、後下側に向かうに従って左側へ傾斜するように面取りされている。また、延出部８６Ｂの右面８６Ｅは、上下前後に延びる平面として形成されている。延出部８６Ｂの右面８６Ｅは、突出部の所定方向一方側端縁の一例である。
【０１１７】
リブ８６Ｃは、受電部本体８６Ａの径方向において、延出部８６Ｂの前後方向略中央の内側に配置されている。リブ８６Ｃは、受電部本体８６Ａおよび延出部８６Ｂの内面から内側へ突出し、左右方向に延びる突条として形成されている。リブ８６Ｃの右端部は、下側に向かうに従って左側へ傾斜するように面取りされている。
（３−２）新品検知ギア
新品検知ギア８２は、図４および図５に示すように、絶縁性の樹脂材料（例えば、ポリアセタール樹脂）から左右方向に延びる略円筒形状に形成されている。
【０１１８】
また、新品検知ギア８２は、欠け歯ギア８７と、筒部８８と、第１被覆部の一例としての被検知端部８９とを一体的に備えている。
【０１１９】
欠け歯ギア８７は、左右方向に厚みを有する略円板形状に形成されている。欠け歯ギア８７の周面には、中心角が約３１５°をなす部分にギア歯が形成されている。すなわち、欠け歯ギア８７の周面には、ギア歯が形成されているギア部の一例としての歯部９０と、ギア歯が形成されていない欠け歯部９１とが形成されている。
【０１２０】
また、欠け歯ギア８７の径方向中央には、受電部挿通穴９２が形成されている。
【０１２１】
受電部挿通穴９２は、欠け歯ギア８７と中心軸線を共有する側面視略円形状に形成されている。受電部挿通穴９２の直径は、電極部材８１の受電部８６の外径よりも大径である。
【０１２２】
筒部８８は、欠け歯ギア８７の受電部挿通穴９２の周縁部から右側に突出し、欠け歯ギア８７と中心軸線を共有する略円筒形状に形成されている。筒部８８の内径は、受電部挿通穴９２の直径と同径である。筒部８８は、鍔部９３と被付勢部９５（図４参照）とを備えている。
【０１２３】
鍔部９３は、筒部８８の左端部において、筒部８８の径方向外面から径方向外側へ突出し、筒部８８の周方向に延びる突条として形成されている。
【０１２４】
被付勢部９５は、鍔部９３の右側において、筒部８８の径方向外面から径方向外側へ突出する側面視略楔形状に突出形成されている（図７参照）。
【０１２５】
被検知端部８９は、筒部８８の右端部から連続して右側へ延び、中心角約１２０°の部分円筒形状に形成されている。
【０１２６】
また、被検知端部８９の右側面視時計回り方向下流側端縁には、右側面視時計回り方向上流側へ向かうに従って径方向外側へ傾斜する第２傾斜面の一例としての下流側傾斜面９７が形成されている。また、被検知端部８９の右側面視時計回り方向上流側端縁には、右側面視時計回り方向上流側へ向かうに従って径方向内側へ傾斜する第１傾斜面の一例としての上流側傾斜面９６が形成されている。
（３−３）給電側カバー
給電側カバー８３は、図４および図７（ａ）に示すように、左右方向に延び、右端部が閉鎖された略筒形状に形成されている。給電側カバー８３は、新品検知ギア８２と第２アジテータギア６６とを一括して被覆可能なサイズ（前後方向長さおよび上下方向長さ）に形成されている。また、給電側カバー８３は、開口の一例としての受電部露出開口１０１と、受電部保護部１０２とを有している。
【０１２７】
受電部露出開口１０１は、給電側カバー８３の前後方向略中央の右壁において、新品検知ギア８２の被検知端部８９を露出させるように、側面視略円形状に貫通形成されている。
【０１２８】
受電部保護部１０２は、受電部８６を前側から被覆する第１保護部１０３と、受電部８６を後側から被覆する第２保護部１０４と、受電部８６を右側から被覆する電極被覆部の一例としての第３保護部１０５とを一体的に備えている。
【０１２９】
第１保護部１０３は、受電部露出開口１０１の前側周端縁から右側へ突出する略角柱形状に形成されている。
【０１３０】
第２保護部１０４は、受電部露出開口１０１の後側周端縁から右側へ突出する略角柱形状に形成されている。
【０１３１】
第３保護部１０５は、第１保護部１０３の右端部と、第２保護部１０４の右端部との間に架設されるように、前後方向に延びる略平板形状に形成されている。第３保護部１０５の上端縁１００は、側面視略Ｖ字形状に形成されている。詳しくは、第３保護部１０５の上端縁１００は、第１保護部１０３の後側上端縁から連続して前側へ延び、受電部露出開口１０１の前後方向略中央の右側において上側へ屈曲して、後上側へ延び、第２保護部１０４の前側上端縁に連続されている。また、第３保護部１０５の右面１０５Ａは、上下前後に延びる平面として形成されている。第３保護部１０５の右面１０５Ａは、カバーの所定方向一方側端縁の一例である。また、第３保護部１０５は、嵌合部１０６を備えている。
【０１３２】
嵌合部１０６は、受電部露出開口１０１の前後方向略中央の右側に配置されている。嵌合部１０６は、第３保護部１０５の左面から左側へ突出する略円筒形状に形成されている。嵌合部１０６の上端部は、第３保護部１０５の上端縁に沿うように、側面視略Ｖ字形状に形成されている。嵌合部１０６の外径は、受電部８６の内径と略同径（わずかに小径）である。
（３−４）給電ユニットの組み付け状態
電極部材８１は、図４および図６に示すように、現像ローラ軸支持部８４に現像ローラ軸３０の右端部が回転可能に挿通され、供給ローラ軸支持部８５に供給ローラ軸２９の右端部が回転可能に挿通されるように、右壁３４Ｒの右側に組み付けられている。
【０１３３】
これにより、現像ローラ軸３０の右端部は、現像ローラ軸支持部８４内に回転可能に支持されている。また、供給ローラ軸２９の右端部は、供給ローラ軸支持部８５内に回転可能に支持されている。
【０１３４】
また、受電部８６の後上側端部は、左右方向に投影したときに現像カップリング６１に重なるように配置されている（図４参照）。
【０１３５】
新品検知ギア８２は、電極部材８１の受電部８６に回転可能に外嵌されている。これにより、受電部８６の右端部の下側半分は、被検知端部８９によって下側から被覆されている。また、受電部８６の右端部の上側半分は、下流側傾斜面９７と上流側傾斜面９６との間から露出されている。つまり下流側傾斜面９７と上流側傾斜面９６との間の空間は、受電部８６を露出させる第１露出部９８（図５参照）である。
【０１３６】
また、新品検知ギア８２の後上側端部は、左右方向に投影したときに現像カップリング６１に重なるように配置されている（図４参照）。
【０１３７】
また、新品検知ギア８２は、付勢部材の一例としてのねじりコイルばね１０７により、右側面視時計回りに付勢されている。
【０１３８】
詳しくは、ねじりコイルばね１０７は、金属から形成され、コイル部１０８と、固定端部１０９と、付勢端部１１０とを備えている。
【０１３９】
コイル部１０８は、左側から右側へ向かうに従って右側面視反時計回りに巻かれる螺旋形状に形成されている。
【０１４０】
固定端部１０９は、コイル部１０８の左端部から連続して前側へ延びる略直線形状に形成されている。
【０１４１】
付勢端部１１０は、コイル部１０８の右端部から連続して後側へ延び、その後端部において下側へ屈曲される略Ｌ字形状に形成されている。
【０１４２】
そして、ねじりコイルばね１０７は、コイル部１０８において、給電側カバー８３内に支持されるとともに、固定端部１０９において、右壁３４Ｒの前上側端部に固定されている。また、付勢端部１１０は、新品検知ギア８２の被付勢部９５に前上側から当接されている。
【０１４３】
これにより、新品検知ギア８２は、右側面視時計回りに付勢され、欠け歯ギア８７の歯部９０の右側面視時計回り方向下流側端部は、第２アジテータギア６６に対して前側から噛合されている。
【０１４４】
そして、図７（ａ）に示すように、給電側カバー８３は、受電部露出開口１０１を介して受電部８６を露出させるとともに、新品検知ギア８２および第２アジテータギア６６を一括して被覆するように、右壁３４Ｒにねじ止めされている。
【０１４５】
このとき、給電側カバー８３の嵌合部１０６は、リブ８６Ｃの下側において、受電部８６の右端部内に嵌合されている。これにより、受電部８６の右端部は、延出部８６Ｂおよびリブ８６Ｃより下側の部分において、第３保護部１０５によって右側から被覆されている。すなわち、受電部８６の右端部において、延出部８６Ｂおよびリブ８６Ｃ以外の部分は、第３保護部１０５によって覆われる第２被覆部８６Ｄ（図４参照）である。
【０１４６】
また、図７（ｂ）に示すように、受電部８６の延出部８６Ｂは、給電側カバー８３の第３保護部１０５の上端縁１００に対して、その右面８６Ｅが第３保護部１０５の右面１０５Ａとほぼ面一となるように、上側から係合されている。つまり、受電部８６の延出部８６Ｂは、上下方向に投影したときに、給電側カバー８３の第３保護部１０５と重なるように配置されている。また、受電部８６の延出部８６Ｂの右面８６Ｅは、上下方向に投影したときに、給電側カバー８３の第３保護部１０５の右面１０５Ａと重なるように配置されている。
【０１４７】
これにより、延出部８６Ｂの右面８６Ｅは、第３保護部１０５の上端縁１００の上側において、右側へ露出されている。
３．本体ケーシングの構成
本体ケーシング２内には、図８および図９に示すように、現像カートリッジ７に現像バイアスを供給するための電極ユニット１１１が設けられている。
【０１４８】
電極ユニット１１１は、固定電極１１２と、ホルダ部材１１３と、揺動電極１１４とから構成されている。
【０１４９】
固定電極１１２は、金属からなるコイルばねであり、その一端部が、本体ケーシング２内において現像カートリッジ７の右側近傍に固定されている。
【０１５０】
ホルダ部材１１３は、固定電極１１２の左側に配置されている。ホルダ部材１１３は、絶縁性の樹脂材料から、前後方向に延び、後上側が開放される側面視略Ｕ字形の屈曲杆形状に形成されている。ホルダ部材１１３の上端部には、左右方向に延びる略円筒形状の筒部１１６が設けられており、筒部１１６において、本体ケーシング２内の揺動軸（図示せず）に回動可能に外嵌されている。
【０１５１】
揺動電極１１４は、金属からなり、筒部１１６に巻回されるコイルばねであり、その一端部が、本体ケーシング２内において現像カートリッジ７の右側近傍に固定される固定部１１７とされており、その他端部が、ホルダ部材１１３に固定される電極部１１８とされている。
【０１５２】
電極部１１８は、現像カートリッジ７の受電部８６に接触される現像側接点１１９と、固定電極１１２の遊端部に接触される本体側接点１２０とを備えている。
【０１５３】
現像側接点１１９は、ホルダ部材１１３の前端部に支持されており、前下側に露出されている。
【０１５４】
本体側接点１２０は、固定電極１１２の遊端部１１５の左側に配置されるように、ホルダ部材１１３の後下側端部に支持されており、右側に露出されている。
【０１５５】
そして、揺動電極１１４は、図９に示すように、その弾性により、常には、本体側接点１２０が固定電極１１２の遊端部１１５より前下側に離間される下側解除位置に保持されている。
【０１５６】
また、揺動電極１１４は、図１０に示すように、前側から押圧されることにより、その弾性力に抗して右側面視反時計回りに揺動され、本体側接点１２０が固定電極１１２の遊端部１１５に接触される接続位置に配置される。
【０１５７】
また、揺動電極１１４は、図１１に示すように、さらに前側から押圧されることにより、その弾性力に抗して右側面視反時計回りに揺動され、本体側接点１２０が固定電極１１２の遊端部１１５から上側に離間される上側解除位置に配置される。
【０１５８】
また、本体ケーシング２内には、図８に示すように、電源１３１とバイアス検知部１３２とＣＰＵ１３３とが設けられている。
【０１５９】
電源１３１は、揺動電極１１４の固定部１１７に電気的に接続されている。電源１３１は、揺動電極１１４に現像バイアスを供給する。
【０１６０】
バイアス検知部１３２は、固定電極１１２に電気的に接続されている。バイアス検知部１３２は、電源１３１から揺動電極１１４を介して固定電極１１２に供給される現像バイアスを検知する。
【０１６１】
ＣＰＵ１３３は、電源１３１とバイアス検知部１３２とに電気的に接続されている。ＣＰＵ１３３は、バイアス検知部１３２における、固定電極１１２に現像バイアスが供給されたか否かの検知に基づいて、現像カートリッジ７の状態を判断する。バイアス検知部１３２において、電源１３１から固定電極１１２への現像バイアスの供給が検知された場合には、ＣＰＵ１３３は、揺動電極１１４が接続位置に配置されていると判断する。また、バイアス検知部１３２において、電源１３１から固定電極１１２への現像バイアスの供給が検知されなかった場合には、ＣＰＵ１３３は、揺動電極１１４が下側解除位置または上側解除位置に配置されていると判断する。
４．新品検知動作
図８から図１４を参照して、現像カートリッジ７の新品検知動作を説明する。
【０１６２】
まず、図９に示すように、本体ケーシング２内にプロセスカートリッジ５が装着されていないときには、揺動電極１１４は、下側解除位置に保持されている。
【０１６３】
このとき、現像カートリッジ７が本体ケーシング２内に装着されていないので、電源１３１から現像カートリッジ７および固定電極１１２へ現像バイアスが供給されず、バイアス検知部１３２において、電源１３１から固定電極１１２への現像バイアスの供給が検知されない。これにより、ＣＰＵ１３３は、現像バイアスが固定電極１１２に供給されていないと判断する。
【０１６４】
すると、ＣＰＵ１３３は、所定時間以上、バイアス検知部１３２において、電源１３１から固定電極１１２への現像バイアスの供給が検知されなかった場合に、現像カートリッジ７が本体ケーシング２から離脱されていると判断する。
【０１６５】
そして、本体ケーシング２のトップカバー４を開放して、新品（未使用）の現像カートリッジ７が装着されたプロセスカートリッジ５を本体ケーシング２に前上側から挿入すると、現像カートリッジ７の受電部８６が前上側からホルダ部材１１３に当接される。
【０１６６】
そして、さらに現像カートリッジ７を本体ケーシング２内に挿入すると、現像カートリッジ７の受電部８６によってホルダ部材１１３が押圧され、揺動電極１１４の電極部１１８が、ホルダ部材１１３とともに右側面視反時計回りに揺動される。
【０１６７】
そして、図１０および図１２に示すように、現像カートリッジ７の本体ケーシング２内への装着が完了すると、揺動電極１１４の現像側接点１１９が、被検知端部８９の下流側傾斜面９７と上流側傾斜面９６との間を介して後側から現像カートリッジ７の受電部８６に接触される。また、揺動電極１１４が接続位置に配置されて、本体側接点１２０が固定電極１１２の遊端部１１５に接触される。なお、被検知端部８９の下流側傾斜面９７は、ホルダ部材１１３および揺動電極１１４の前側に配置される。
【０１６８】
これにより、電源１３１から揺動電極１１４に給電されている現像バイアスは、現像側接点１１９を介して現像カートリッジ７の受電部８６に給電される。
【０１６９】
現像カートリッジ７の受電部８６に給電された現像バイアスは、電極部材８１を介して現像ローラ軸３０に印加される。
【０１７０】
また、揺動電極１１４に給電されている現像バイアスは、本体側接点１２０から固定電極１１２の遊端部１１５を介して固定電極１１２に給電され、バイアス検知部１３２に検知される。
【０１７１】
すると、ＣＰＵ１３３は、現像バイアスが固定電極１１２に供給されていると判断する。
【０１７２】
一方、現像カートリッジ７が本体ケーシング２に装着されると、図２に示すように、本体ケーシング２内の本体カップリング１２１の先端が現像カップリング６１の結合凹部７０に相対回転不能に挿入される。そして、本体カップリング１２１を介して、現像カップリング６１に本体ケーシング２から駆動力が入力され、ウォーミングアップ動作が開始される。
【０１７３】
すると、図３に示すように、現像カップリング６１から、アイドルギア６４および第１アジテータギア６５を介してアジテータ軸１６に駆動力が伝達され、アジテータ１５が回転される。
【０１７４】
そして、アジテータ１５が回転されると、図４に示すように、アジテータ軸１６および第２アジテータギア６６を介して新品検知ギア８２の欠け歯ギア８７の歯部９０に駆動力が伝達され、新品検知ギア８２が右側面視時計回りに回転される。
【０１７５】
すると、図１３に示すように、新品検知ギア８２の被検知端部８９の下流側傾斜面９７が揺動電極１１４の電極部１１８に前側から当接し、揺動電極１１４の電極部１１８を後側へ向かって押圧する。これにより、ホルダ部材１１３および揺動電極１１４は、被検知端部８９の下流側傾斜面９７に沿って被検知端部８９に乗り上げるように、揺動電極１１４の弾性力に抗して、現像カートリッジ７の受電部８６から後側へ退避されて上側解除位置に配置される。
【０１７６】
すると、揺動電極１１４の現像側接点１１９が現像カートリッジ７の受電部８６から後側に離間されて、揺動電極１１４と受電部８６との電気的な接続が解除される。また、揺動電極１１４の本体側接点１２０が固定電極１１２の遊端部１１５から上側に離間されて、揺動電極１１４と固定電極１１２との電気的な接続が解除される。なお、新品検知ギア８２を導電性材料から形成した場合には、揺動電極１１４と受電部８６との電気的な接続は解除されないが、揺動電極１１４と固定電極１１２との電気的な接続は解除される。
【０１７７】
このとき、ＣＰＵ１３３は、固定電極１１２に現像バイアスが供給されていないと判断する。
【０１７８】
そして、さらに新品検知ギア８２が右側面視時計回りに回転されると、新品検知ギア８２の被検知端部８９が、受電部８６とホルダ部材１１３との間を前上側から後下側へ通過する。
【０１７９】
すると、図１４に示すように、ホルダ部材１１３および揺動電極１１４は、被検知端部８９の下流側傾斜面９７に沿って被検知端部８９から降りるように、揺動電極１１４の弾性力によって前側へ揺動されて、再び接続位置に配置される。
【０１８０】
すると、揺動電極１１４の現像側接点１１９が現像カートリッジ７の受電部８６に前側から接触されて、揺動電極１１４と受電部８６とが電気的に接続される。また、本体側接点１２０が固定電極１１２の遊端部１１５に接触されて、揺動電極１１４と固定電極１１２とが電気的に接続される。なお、新品検知ギア８２を導電性材料から形成した場合には、揺動電極１１４と受電部８６とは、電気的に接続されたままである。
【０１８１】
これにより、ＣＰＵ１３３は、固定電極１１２に現像バイアスが供給されていると判断する。つまり、ＣＰＵ１３３は、ウォーミングアップ動作が開始された後に、固定電極１１２に現像バイアスが供給されている、固定電極１１２に現像バイアスが供給されていない、固定電極１１２に現像バイアスが供給されている、と順次判断する。
【０１８２】
すなわち、新品検知ギア８２は、揺動電極１１４を接続位置に配置させて、被検知端部８９の下流側傾斜面９７と上流側傾斜面９６との間を介して現像カートリッジ７の受電部８６に給電させる第１位置から、揺動電極１１４を上側解除位置に配置させて、被検知端部８９により現像カートリッジ７の受電部８６への電力の入力を解除する第２位置を経て、揺動電極１１４を接続位置に配置させて、被検知端部８９の下流側傾斜面９７と上流側傾斜面９６と間を介して現像カートリッジ７の受電部８６に給電させる第３位置へ回転移動される。
【０１８３】
その後、さらに新品検知ギア８２が回転されると、新品検知ギア８２の欠け歯部９１が第２アジテータギア６６に対向されて、新品検知ギア８２の歯部９０と第２アジテータギア６６との噛合が解除され、新品検知ギア８２の回転駆動が停止される。その後、ウォーミングアップ動作が終了する。
【０１８４】
そして、ＣＰＵ１３３は、ウォーミングアップ動作が開始された後に、固定電極１１２に現像バイアスが供給されている、固定電極１１２に現像バイアスが供給されていない、固定電極１１２に現像バイアスが供給されている、と順次判断したときに、現像カートリッジ７が新品（未使用）であると判断する。
【０１８５】
また、ＣＰＵ１３３では、固定電極１１２に現像バイアスが供給されていないと判断する時間が最大画像形成枚数に関する情報と対応するように関連付けられている。具体的には、例えば、固定電極１１２に現像バイアスが供給されていないと判断する時間が長い場合には、最大画像形成枚数が６０００枚であり、固定電極１１２に現像バイアスが供給されていないと判断する時間が短い場合には、最大画像形成枚数が３０００枚であるという情報と対応するように関連付けられている。
【０１８６】
そして、上記したように、ＣＰＵ１３３は、ウォーミングアップ動作が開始された後に、固定電極１１２に現像バイアスが供給されている、固定電極１１２に現像バイアスが供給されていない、固定電極１１２に現像バイアスが供給されていると順次判断し、そのうちの固定電極１１２に現像バイアスが供給されていないと判断する時間が長いときには、現像カートリッジ７の最大画像形成枚数が６０００枚であると判断する。
【０１８７】
その結果、新品の現像カートリッジ７が装着されると、ＣＰＵ１３３は、その現像カートリッジ７が新品であり、かつ、その現像カートリッジ７の最大画像形成枚数が６０００枚であると判断し、その現像カートリッジ７の装着時から、実際の画像形成枚数が、６０００枚を超える直近に、図示しない操作パネルなどに、現像カートリッジ７の交換時期であることの通知を表示する。
【０１８８】
一方、ＣＰＵ１３３は、所定時間以上、固定電極１１２に現像バイアスが供給されていると判断したときに、現像カートリッジ７が本体ケーシング２に装着されていると判断する。
【０１８９】
上述したように、新品の現像カートリッジ７が装着されたときには、新品検知動作が実施されることにより、現像カートリッジ７の本体ケーシング２への装着が判断できる。一方、新品の現像カートリッジ７を装着した後に、たとえば、用紙Ｐの詰まり（ジャム）などによって、一旦、その現像カートリッジ７を本体ケーシング２から離脱させ、再び本体ケーシング２に装着したときには、新品検知ギア８２は、欠け歯ギア８７の欠け歯部９１が第２アジテータギア６６と対向する位置で停止されている。そのため、再装着において、ウォーミングアップ動作が実行されても、新品検知ギア８２は回転駆動されず、新品検知動作は実施されない。このときには、ホルダ部材１１３および揺動電極１１４が接続位置に配置されているため、常に固定電極１１２に現像バイアスが供給されていると判断する。
【０１９０】
これにより、ＣＰＵ１３３では、その再装着された現像カートリッジ７（旧品の現像カートリッジ７）を、新品であると誤判断することなく、新品と判断したときの最大画像形成枚数と、その新品と判断したときからの実際の画像形成枚数との比較が継続される。また、ＣＰＵ１３３では、現像カートリッジ７が本体ケーシング２に装着されていると判断される。
５．作用効果
（１）この現像カートリッジ７は、図６に示すように、電極部材８１から突出する受電部８６に、被検知端部８９によって受電部８６の下側半分を被覆し、下流側傾斜面９７と上流側傾斜面９６との間から受電部８６の上側半分を露出させる新品検知ギア８２が回転可能に支持されている。
【０１９１】
そのため、本体ケーシング２の電極ユニット１１１から受電部８６へ、下流側傾斜面９７と上流側傾斜面９６との間を介して給電することができながら、新品検知ギア８２の回転により、電極ユニット１１１から受電部８６への給電を、被検知端部８９によって解除することができる。
【０１９２】
その結果、簡易な構成で、アクチュエータや光センサなどを設けることなく、現像カートリッジ７の情報を検知することができる。
（２）また、この現像カートリッジ７によれば、図４に示すように、給電側カバー８３は、受電部８６の右端部の下端部（第２被覆部８６Ｄ）を右側から被覆する第３保護部１０５を有している。
【０１９３】
そのため、第３保護部１０５によって、受電部８６の右端部の下端部（第２被覆部８６Ｄ）を右側から保護することができる。
（３）また、この現像カートリッジ７によれば、図７（ｂ）に示すように、受電部８６の延出部８６Ｂは、その受電部本体８６Ａの上端部から右側へ突出し、給電側カバー８３の第３保護部１０５から露出されている。
【０１９４】
そのため、受電部８６の右端部の下端部を保護しながら、受電部８６を、その延出部８６Ｂにおいて、右側に長く露出させることができる。
【０１９５】
その結果、本体ケーシング２の電極ユニット１１１を受電部８６に容易にアクセスさせることができ、本体ケーシング２から受電部８６に、容易に給電することができる。
（４）また、この現像カートリッジ７によれば、図７（ｂ）に示すように、受電部８６の延出部８６Ｂは、給電側カバー８３の第３保護部１０５の上側に重なるように配置されている。
【０１９６】
そのため、第３保護部１０５の上側において、本体ケーシング２の電極ユニット１１１から受電部８６の延出部８６Ｂに給電することができる。
【０１９７】
その結果、本体ケーシング２の電極ユニット１１１から受電部８６の延出部８６Ｂに、より容易に給電することができる。
（５）また、この現像カートリッジ７によれば、図７（ａ）に示すように、受電部８６の延出部８６Ｂは、給電側カバー８３の第３保護部１０５の上端縁１００に係合している。
【０１９８】
そのため、本体ケーシング２の電極ユニット１１１から受電部８６に給電するときに、受電部８６の延出部８６Ｂを給電側カバー８３の第３保護部１０５で支えながら、電極ユニット１１１を受電部８６に接触させることができる。
【０１９９】
その結果、電極ユニット１１１と受電部８６とを確実に接触させることができ、電極ユニット１１１から受電部８６に、安定して給電することができる。
（６）また、この現像カートリッジ７によれば、図４に示すように、給電側カバー８３の第３保護部１０５は、受電部８６の右端部内に嵌合する嵌合部１０６を有している。
【０２００】
そのため、嵌合部１０６により、受電部８６の右端部を新品検知ギア８２に対して位置決めすることができる。
【０２０１】
また、受電部８６の右端部に対する嵌合部１０６の嵌合により、本体ケーシング２の電極ユニット１１１から受電部８６に給電するときに、受電部８６を、より安定に第３保護部１０５で支えることができる。
【０２０２】
そのため、電極ユニット１１１と受電部８６とをより確実に接触させることができ、電極ユニット１１１から受電部８６に、より安定して給電することができる。
（７）また、この現像カートリッジ７によれば、図７に示すように、受電部８６の右端部内への嵌合部１０６の嵌合により、受電部８６の右端部を補強することができる。
（８）また、この現像カートリッジ７によれば、図６に示すように、カートリッジフレーム３１の右壁３４Ｒには、受電部８６内に嵌合されるように右側へ突出する嵌合突起４３が設けられている。
【０２０３】
そのため、嵌合突起４３により、受電部８６を補強することができる。
（９）また、この現像カートリッジ７によれば、図１２および図１４に示すように、受電部８６への電力の入力が解除される前後、すなわち、新品検知ギア８２が第１位置（図１２参照）と第３位置（図１４参照）とに配置されているときにおいて、受電部８６への給電を検知することができる。
【０２０４】
そのため、受電部８６への電力の入力の解除を、確実に、本体ケーシング２のバイアス検知部１３２に認識させることができる。
（１０）また、この現像カートリッジ７によれば、図６に示すように、新品検知ギア８２の被検知端部８９は、新品検知ギア８２の回転方向（右側面視時計回り）に延びている。
【０２０５】
そのため、新品検知ギア８２の回転により、確実に、本体ケーシング２の電極ユニット１１１から受電部８６への給電、および、給電の解除を切り替えることができる。
（１１）また、この現像カートリッジ７によれば、新品検知ギア８２の被検知端部８９の回転方向長さは、カートリッジに関する情報に対応している。
【０２０６】
そのため、被検知端部８９の回転方向長さに基づいて、現像カートリッジ７の情報を、簡易かつ確実に判断することができる。
（１２）また、この現像カートリッジ７によれば、図７（ａ）に示すように、新品検知ギア８２の被検知端部８９は、受電部８６を径方向から被覆している。
【０２０７】
そのため、新品検知ギア８２の被検知端部８９によって、受電部８６を径方向から保護することができる。
（１３）また、この現像カートリッジ７によれば、図１２に示すように、新品検知動作において、本体ケーシング２の電極ユニット１１１を、下流側傾斜面９７に沿って被検知端部８９に乗り上げるように退避させ、その後、図１４に示すように、上流側傾斜面９６に沿って被検知端部８９から降りるように、再び、受電部８６に接触させることができる。
【０２０８】
そのため、新品検知ギア８２の被検知端部８９を、円滑に、受電部８６と電極ユニット１１１との間を通過させることができる。
（１４）また、この現像カートリッジ７によれば、図５に示すように、新品検知ギア８２は、本体ケーシング２からの駆動力が伝達される歯部９０と、駆動力が伝達されない欠け歯部９１とを有する欠け歯ギア８７とを含んでもよい。
【０２０９】
そのため、図１２、図１３および図１４に示すように、新品検知ギア８２を、回転駆動開始から回転駆動停止までの所定の駆動量で、確実に回転駆動させることができる。
（１５）また、この現像カートリッジ７によれば、図４に示すように、電極部材８１は、本体部９４から右側へ突出し、現像ローラ軸３０の右端部を回転可能に支持する現像ローラ軸支持部８４を有している。
【０２１０】
そのため、簡易な構成で確実に、現像ローラ軸支持部８４から現像ローラ１１に電力を供給することができる。
（１６）また、この現像カートリッジ７によれば、図３および図４に示すように、現像カップリング６１が、カートリッジフレーム３１の右壁３４Ｒの右側に配置され、新品検知ギア８２が、カートリッジフレーム３１の左壁３４Ｌの左側に配置されている。
【０２１１】
そのため、現像カップリング６１と新品検知ギア８２とを、右壁３４Ｒまたは左壁３４Ｌのいずれか一方に設ける構成と比べて、右壁３４Ｒおよび左壁３４Ｌの面積を低減することができ、その分、現像カートリッジ７を小型化することができる。
（１７）また、この現像カートリッジ７によれば、図３および図４に示すように、アジテータ軸１６の右端部に、駆動力を現像カップリング６１からアジテータ１５に伝達する第１アジテータギア６５を備え、アジテータ軸１６の左端部に、駆動力をアジテータ１５から新品検知ギア８２に伝達する第２アジテータギア６６を備えている。
【０２１２】
そのため、簡易な構成で、アジテータ１５を介して新品検知ギア８２に駆動力を伝達することができる。
（１８）また、この現像カートリッジ７によれば、第１アジテータギア６５の歯数は、第２アジテータギア６６の歯数よりも多い。
【０２１３】
そのため、アジテータ１５の回転速度に対して新品検知ギア８２の回転速度を低減させることができる。
【０２１４】
その結果、受電部８６への給電、および、給電の解除を検知するための時間を確保することができ、受電部８６への給電、および、給電の解除を正確に検知することができる。
（１９）また、この現像カートリッジ７によれば、図６に示すように、新品検知ギア８２は、左右方向に投影したときにその後上側端部が現像カップリング６１に重なるように、配置されている。
【０２１５】
そのため、新品検知ギア８２と現像カップリング６１とを、上下方向においてほぼ同じ位置に配置することができ、現像カートリッジ７をより小型化することができる。
（２０）また、この現像カートリッジ７によれば、図６に示すように、受電部８６は、左右方向に投影したときにその後上側端部が現像カップリング６１に重なるように、配置されている。
【０２１６】
そのため、受電部８６と現像カップリング６１とを、上下方向においてほぼ同じ位置に配置することができ、現像カートリッジ７をより一層小型化することができる。
（２１）また、この現像カートリッジ７によれば、図３および図４に示すように、アジテータ１５を利用して現像カップリング６１から新品検知ギア８２へ駆動力を伝達することができ、部品点数を低減することができる。
６．第２実施形態
図１５を参照して、第２実施形態の現像カートリッジ７を説明する。なお、第２実施形態において、上記した第１実施形態と同様の部材には同様の符号を付し、その説明を省略する。
（１）第２実施形態の概要
上記した第１実施形態では、新品検知ギア８２の被検知端部を部分円筒形状に形成している。
【０２１７】
対して、第２実施形態では、図１５に示すように、被検知端部１４１を、筒部８８の右端部から右側へ延びる略三角柱形状に形成する。
（２）第２実施形態における新品検知ギア
新品検知ギア１４０は、２つの被検知端部１４１を備えている。
【０２１８】
被検知端部１４１は、筒部８８の径方向両端部に１つずつ設けられている。詳しくは、一方（前側）の被検知端部１４１は、右側面視において、歯部９０の時計回り方向下流側端部の径方向内側に配置されている。また、他方（後側）の被検知端部１４１は、右側面視において、歯部９０の時計回り方向略中央の径方向内側に配置されている。なお、被検知端部１４１の間は、周方向において開放されており、第１露出部として機能する。
【０２１９】
また、被検知端部１４１の右側面視時計回り方向下流側端面には、右側面視時計回り方向上流側へ向かうに従って径方向外側へ傾斜する第２傾斜面の一例としての下流側傾斜面１４３である。また、被検知端部１４１の右側面視時計回り方向上流側端面には、右側面視時計回り方向上流側へ向かうに従って径方向内側へ傾斜する第１傾斜面の一例としての上流側傾斜面１４２である。
（３）第２実施形態における新品検知動作
上記した第１実施形態と同様に、現像カートリッジ７の本体ケーシング２内への装着が完了すると、揺動電極１１４の現像側接点１１９が、各被検知端部１４１の間を介して後側から現像カートリッジ７の受電部８６に接触される。また、揺動電極１１４が接続位置に配置されて、本体側接点１２０が固定電極１１２の遊端部１１５に接触される。このとき、一方の被検知端部１４１は、ホルダ部材１１３および揺動電極１１４の前側に配置される。
【０２２０】
すると、上記した第１実施形態と同様に、ＣＰＵ１３３は、現像バイアスが固定電極１１２に供給されていると判断する。
【０２２１】
そして、プリンタ１のウォーミングアップ動作が開始されて、新品検知ギア８２が右側面視時計回りに回転されると、新品検知ギア８２の一方の被検知端部１４１が揺動電極１１４の電極部１１８に前側から当接し、揺動電極１１４の電極部１１８を後側へ向かって押圧する。これにより、ホルダ部材１１３および揺動電極１１４は、一方の被検知端部１４１の下流側傾斜面１４３に沿って一方の被検知端部１４１に乗り上げるように、揺動電極１１４の弾性力に抗して、現像カートリッジ７の受電部８６から後側へ退避されて上側解除位置に配置される。
【０２２２】
すると、揺動電極１１４の現像側接点１１９が現像カートリッジ７の受電部８６から後側に離間されて、揺動電極１１４と受電部８６との電気的な接続が解除される。また、揺動電極１１４の本体側接点１２０が固定電極１１２の遊端部１１５から上側に離間されて、揺動電極１１４と固定電極１１２との電気的な接続が解除される。
【０２２３】
このとき、ＣＰＵ１３３は、固定電極１１２に現像バイアスが供給されていないと判断する。
【０２２４】
そして、さらに新品検知ギア８２が右側面視時計回りに回転されると、新品検知ギア８２の一方の被検知端部１４１が、受電部８６とホルダ部材１１３との間を前上側から後下側へ通過する。
【０２２５】
すると、ホルダ部材１１３および揺動電極１１４は、一方の被検知端部１４１の下流側傾斜面１４３に沿って一方の被検知端部１４１から降りるように、揺動電極１１４の弾性力によって前側へ揺動されて、再び接続位置に配置される。
【０２２６】
すると、ＣＰＵ１３３は、固定電極１１２に現像バイアスが供給されていると判断する。つまり、ＣＰＵ１３３は、ウォーミングアップ動作が開始された後に、固定電極１１２に現像バイアスが供給されている、固定電極１１２に現像バイアスが供給されていない、固定電極１１２に現像バイアスが供給されている、と順次判断する。
【０２２７】
その後、さらに新品検知ギア８２が回転されると、他方の被検知端部１４１が、上記した一方の被検知端部１４１と同様にして、揺動電極１１４を、接続位置から一旦上側解除位置に配置させた後、再び接続位置に配置させる。
【０２２８】
これにより、ＣＰＵ１３３は、再び、固定電極１１２に現像バイアスが供給されている、固定電極１１２に現像バイアスが供給されていない、固定電極１１２に現像バイアスが供給されている、と順次判断する。
【０２２９】
その後、さらに新品検知ギア８２が回転されると、新品検知ギア８２の欠け歯部９１が第２アジテータギア６６に対向されて、新品検知ギア８２の歯部９０と第２アジテータギア６６との噛合が解除され、新品検知ギア８２の回転駆動が停止される。その後、ウォーミングアップ動作が終了する。
【０２３０】
第２実施形態では、ＣＰＵ１３３において、固定電極１１２に現像バイアスが供給されていないと判断する回数が最大画像形成枚数に関する情報と対応するように関連付けられている。具体的には、例えば、固定電極１１２に現像バイアスが供給されていないと判断する回数が２回の場合には、最大画像形成枚数が６０００枚であり、固定電極１１２に現像バイアスが供給されていないと判断する回数が１回の場合には、最大画像形成枚数が３０００枚であるという情報と対応するように関連付けられている。
【０２３１】
そして、上記したように、ＣＰＵ１３３は、ウォーミングアップ動作が開始された後に、固定電極１１２に現像バイアスが供給されている、固定電極１１２に現像バイアスが供給されていない、固定電極１１２に現像バイアスが供給されていると、２回判断したときには、現像カートリッジ７の最大画像形成枚数が６０００枚であると判断する。
（３）第２実施形態の作用効果
第２実施形態においても上記した第１実施形態と同様の作用効果を得ることができる。
７．第３実施形態
図１６および図１７を参照して、第３実施形態の現像カートリッジ１５０を説明する。なお、第３実施形態において、上記した第１実施形態と同様の部材には同様の符号を付し、その説明を省略する。
（１）第３実施形態の概要
上記した第１実施形態では、現像カップリング６１に入力された駆動力を、アジテータ軸１６を介して新品検知ギア８２に伝達している。
【０２３２】
対して、第３実施形態では、図１６および図１７に示すように、現像カップリング６１に入力された駆動力を、現像ローラ軸３０を備える回転部材の一例としての現像ローラ１１を介して新品検知ギア８２に伝達する。現像ローラ１１は、現像ローラ軸３０の中心軸線Ａ３（第１軸線および第２軸線の一例、図１６参照）を回転中心として回転される。
（２）第３実施形態の構成
第３実施形態では、アジテータ軸１６の右端部には、第２アジテータギア６６が設けられていない。また、電極部材８１には、現像ローラ軸支持部８４が設けられておらず、現像ローラ軸３０の右端部は、電極部材８１の右面から右側へ突出されている。
【０２３３】
現像ローラ軸３０の右端部には、第２駆動伝達部材（第２ギア）の一例としての第１アイドルギア１５１が相対回転不能に支持されている。また、電極部材８１の右面には、第２アイドルギア１５２が回転可能に支持されている。第２アイドルギア１５２は、第１アイドルギア１５１に前上側から噛合されるとともに、新品検知ギア８２の欠け歯ギア８７の歯部９０に後上側から噛合されている。
（３）第３実施形態の駆動伝達
そして、ウォーミングアップ動作が開始されると、図１７に示すように、現像カップリング６１から第１駆動伝達部材（第１ギア）の一例としての現像ギア６２に駆動力が伝達され、現像ローラ１１が回転される。
【０２３４】
現像ローラ１１が回転されると、現像ローラ軸３０とともに第１アイドルギア１５１が回転され、第２アイドルギア１５２を介して新品検知ギア８２の欠け歯ギア８７の歯部９０に駆動力が伝達されて、新品検知ギア８２が右側面視時計回りに回転される。
（４）第３実施形態の作用効果
第３実施形態によれば、現像ローラ１１を利用して現像カップリング６１から新品検知ギア８２へ駆動力を伝達することができ、部品点数を低減することができる。
【０２３５】
第３実施形態においても上記した第１実施形態と同様の作用効果を得ることができる。
８．第４実施形態
図１８および図１９を参照して、第４実施形態の現像カートリッジ１６０を説明する。なお、第４実施形態において、上記した第１実施形態と同様の部材には同様の符号を付し、その説明を省略する。
（１）第４実施形態の概要
上記した第１実施形態では、現像カップリング６１に入力された駆動力を、アジテータ軸１６を介して新品検知ギア８２に伝達している。
【０２３６】
対して、第４実施形態では、図１８および図１９に示すように、現像カップリング６１に入力された駆動力を、回転部材の一例としての供給ローラ１２を介して新品検知ギア８２に伝達する。供給ローラ１２は、供給ローラ軸２９の中心軸線Ａ４（第２軸線の一例、図１８参照）を回転中心として回転される。
（２）第４実施形態の構成
第４実施形態では、アジテータ軸１６の右端部には、第２アジテータギア６６が設けられていない。また、供給ローラ軸２９の右端部は、電極部材８１の右面から右側へ突出されている。
【０２３７】
供給ローラ軸２９の右端部には、第２駆動伝達部材（第２ギア）の一例としてのアイドルギア１６１が相対回転不能に支持されている。アイドルギア１６１は、新品検知ギア８２の欠け歯ギア８７の歯部９０に後下側から噛合されている。
（３）第４実施形態の駆動伝達
そして、ウォーミングアップ動作が開始されると、図１９に示すように、現像カップリング６１から第１駆動伝達部材（第１ギア）の一例としての供給ギア６３に駆動力が伝達され、供給ローラ１２が回転される。
【０２３８】
供給ローラ１２が回転されると、供給ローラ軸２９とともにアイドルギア１６１が回転され、アイドルギア１６１から新品検知ギア８２の欠け歯ギア８７の歯部９０に駆動力が伝達されて、新品検知ギア８２が右側面視時計回りに回転される。
（４）第４実施形態の作用効果
第４実施形態によれば、供給ローラ１２を利用して現像カップリング６１から新品検知ギア８２へ駆動力を伝達することができ、部品点数を低減することができる。
【０２３９】
第４実施形態においても上記した第１実施形態と同様の作用効果を得ることができる。
９．第５実施形態
図２０を参照して、第５実施形態の現像カートリッジ１７０を説明する。なお、第５実施形態において、上記した第４実施形態と同様の部材には同様の符号を付し、その説明を省略する。
（１）第５実施形態の概要
上記した第５実施形態では、供給ローラ軸２９の右端部にアイドルギア１６１を設け、アイドルギア１６１を、新品検知ギア８２の欠け歯ギア８７の歯部９０に後下側から噛合させている。
【０２４０】
対して、第５実施形態では、図２０に示すように、新品検知ギア８２に、欠け歯ギア８７に代えて、少なくとも外周面がゴムなどの摩擦係数が比較的大きい材料からなる略円板形状の第１抵抗付与部材１７１を設ける。また、供給ローラ軸２９の右端部に、アイドルギア１６１に代えて、少なくとも外周面がゴムなどの摩擦係数が比較的大きい材料からなる略円板形状の第２駆動伝達部材の一例としての第２抵抗付与部材１７２を、第１抵抗付与部材１７１に後側から接触するように設ける。
（２）第５実施形態の駆動伝達
そして、ウォーミングアップ動作が開始されると、上記した第５実施形態と同様にして、供給ローラ１２が回転される。
【０２４１】
供給ローラ１２が回転されると、供給ローラ軸２９とともに第２抵抗付与部材１７２が回転され、第２抵抗付与部材１７２と第１抵抗付与部材１７１との間の摩擦力によって、第２抵抗付与部材１７２から第１抵抗付与部材１７１へ駆動力が伝達されて、新品検知ギア８２が右側面視時計回りに回転される。
（３）第５実施形態の作用効果
第５実施形態においても上記した第４実施形態と同様の作用効果を得ることができる。
１０．第６実施形態
図２１、図２２および図２３を参照して、第６実施形態の現像カートリッジ１８０を説明する。なお、第６実施形態において、上記した第１実施形態と同様の部材には同様の符号を付し、その説明を省略する。
（１）第６実施形態の概要
上記した第１実施形態では、現像カップリング６１に入力された駆動力を、アジテータ軸１６を介して新品検知ギア８２に伝達している。
【０２４２】
対して、第６実施形態では、図２１および図２３に示すように、現像カップリング６１に入力された駆動力を、カートリッジフレーム３１の前端部に支持された回転部材の一例としての外側回転軸１８１を介して新品検知ギア８２に伝達する。
（２）第６実施形態の構成
外側回転軸１８１は、左右方向に延びる略円柱形状に形成されており、その左右方向両端部において、カートリッジフレーム３１の前端部に回転可能に支持されている。外側回転軸１８１は、その中心軸線Ａ５（図２２参照）を回転中心として回転される。また、外側回転軸１８１の左右方向略中央には、ユーザが把持するための取っ手１８２が回動可能に支持されている。
【０２４３】
外側回転軸１８１の左端部には、外側回転軸１８１に駆動力を入力する第１駆動伝達部材（第１ギア）の一例としての入力ギア１８３が相対回転不能に支持されている。入力ギア１８３と第１アジテータギア６５との間には、アイドルギア１８４が介在されている。また、外側回転軸１８１の右端部には、第２駆動伝達部材の一例としてのプーリ１８５が相対回転不能に支持されている。
【０２４４】
第２アジテータギア６６は、図２２に示すように、ギア部１８６とプーリ部１８７とを一体的に備えている。
【０２４５】
ギア部１８６は、第２アジテータギア６６の右端部に設けられ、新品検知ギア８２の欠け歯ギア８７の歯部９０に前側から噛合されている。
【０２４６】
プーリ部１８７は、第２アジテータギア６６の左端部に設けられている。なお、プーリ部１８７は、ギア歯を有していない。
【０２４７】
そして、第２アジテータギア６６は、アジテータ軸１６に回転可能に支持されている。つまり、第２アジテータギア６６には、アジテータ軸１６からの駆動力は伝達されない。
【０２４８】
そして、第２アジテータギア６６のプーリ部１８７と、外側回転軸１８１のプーリ１８５とには、エンドレスベルト１８８が巻回されている。
（３）第６実施形態の駆動伝達
そして、ウォーミングアップ動作が開始されると、図２３に示すように、現像カップリング６１から上記した第１実施形態と同様にして第１アジテータギア６５に駆動力が伝達され、その後、アイドルギア１８４および入力ギア１８３を順次介して外側回転軸１８１に駆動力が伝達され、外側回転軸１８１が回転される。
【０２４９】
外側回転軸１８１が回転されると、外側回転軸１８１とともにプーリ１８５が回転されて、エンドレスベルト１８８が周回移動される。すると、エンドレスベルト１８８を介して第２アジテータギア６６のプーリ部１８７に駆動力が伝達され、第２アジテータギア６６のギア部１８６から新品検知ギア８２の欠け歯ギア８７の歯部９０に駆動力が伝達されて、新品検知ギア８２が右側面視時計回りに回転される。
（４）第６実施形態の作用効果
第６実施形態においても上記した第１実施形態と同様の作用効果を得ることができる。
【符号の説明】
【０２５０】
７        現像カートリッジ
１１      現像ローラ
１２      供給ローラ
１４      トナー収容部
１５      アジテータ
３１      カートリッジフレーム
３４Ｌ    左壁
３４Ｒ    右壁
４３      嵌合突起
６１      現像カップリング
６２      現像ギア
６３      供給ギア
６５      第１アジテータギア
６６      第２アジテータギア
８１      電極部材
８２      新品検知ギア
８３      給電側カバー
８４      現像ローラ軸支持部
８６      受電部
８６Ｂ    延出部
８６Ｄ    第２被覆部
８６Ｅ    延出部の右面
８７      欠け歯ギア
８９      被検知端部
９０      歯部
９１      欠け歯部
９４      本体部
９６      上流側傾斜部
９７      下流側傾斜部
１０１    受電部露出開口
１０５    第３保護部
１０５Ａ  第３保護部の右面
１０６    嵌合部
１４０    新品検知ギア
１４１    被検知端部
１４２    上流側傾斜面
１４３    下流側傾斜面
１５０    現像カートリッジ
１５１    第１アイドルギア
１６０    現像カートリッジ
１６１    アイドルギア
１７０    現像カートリッジ
１７２    第２抵抗付与部材
１８０    現像カートリッジ
Ａ１      現像ローラ軸の中心軸線
Ａ２      アジテータ軸の中心軸線
Ａ３      現像ローラ軸の中心軸線
Ａ４      供給ローラ軸の中心軸線
【図１】
2014063073.tif 000003
【図２】
2014063073.tif 000004
【図３】
2014063073.tif 000005
【図４】
2014063073.tif 000006
【図５】
2014063073.tif 000007
【図６】
2014063073.tif 000008
【図７】
2014063073.tif 000009
【図８】
2014063073.tif 000010
【図９】
2014063073.tif 000011
【図１０】
2014063073.tif 000012
【図１１】
2014063073.tif 000013
【図１２】
2014063073.tif 000014
【図１３】
2014063073.tif 000015
【図１４】
2014063073.tif 000016
【図１５】
2014063073.tif 000017
【図１６】
2014063073.tif 000018
【図１７】
2014063073.tif 000019
【図１８】
2014063073.tif 000020
【図１９】
2014063073.tif 000021
【図２０】
2014063073.tif 000022
【図２１】
2014063073.tif 000023
【図２２】
2014063073.tif 000024
【図２３】
2014063073.tif 000025